(57)【要約】【課題】  新規の予約録画が既存の予約録画と重複した場合に、その重複時間が予め設定された時間以下である場合、予約録画が重複しないように修正して予約録画を設定することができるようにする。【解決手段】  新規の予約録画が既存の予約録画と重複した場合に、その重複時間が予め設定された時間以下である場合、新規の予約録画の優先が設定されているとき、既存の予約録画を新規の予約録画に合わせて修正して、新規の予約録画を設定し、既存の予約録画の優先が設定されているとき、新規の予約録画を既存の予約録画に合わせて修正して、修正された新規の予約録画を設定するようにする。【選択図】        図６
2006033119.tif 000002
【特許請求の範囲】
【請求項１】
放送番組を予約録画する予約録画装置であって、
予約録画を入力する入力手段と、予約録画を記憶する記憶手段と、前記入力手段により入力された予約録画が前記記憶手段に記憶されている予約録画と重複するか否かを判別し、その重複時間が予め設定された時間以下であるか否かを判別する判別手段と、前記判別手段の判別結果に基づいて予約録画の設定を制御する制御手段とを備え、
前記制御手段は、前記入力手段により入力された予約録画が前記記憶手段に記憶されている予約録画と重複した場合に、その重複時間が予め設定された時間以下である場合、新規の予約録画の優先が設定されているとき、前記記憶手段に記憶されている予約録画を前記入力手段により入力された予約録画に合わせて修正して、前記入力手段により入力された予約録画を前記記憶手段に記憶して予約録画を設定し、既存の予約録画の優先が設定されているとき、前記入力手段により入力された予約録画を前記記憶手段に記憶されている予約録画に合わせて修正して、修正された予約録画を前記記憶手段に記憶して予約録画を設定するとともに、前記入力手段により入力された予約録画が前記記憶手段に記憶されている予約録画と重複した場合に、その重複時間が予め設定された時間以下でない場合、前記入力手段により入力された予約録画を取り消すようにしたことを特徴とする予約録画装置。
【請求項２】
放送番組を予約録画する予約録画装置であって、
予約録画を入力する入力手段と、予約録画を記憶する記憶手段と、前記入力手段により入力された予約録画が前記記憶手段に記憶されている予約録画と重複するか否かを判別し、その重複時間が予め設定された時間以下であるか否かを判別する判別手段と、前記判別手段の判別結果に基づいて予約録画の設定を制御する制御手段とを備え、
前記制御手段は、前記入力手段により入力された予約録画が前記記憶手段に記憶されている予約録画と重複した場合、その重複時間に応じて予約録画を設定するようにしたことを特徴とする予約録画装置。
【請求項３】
前記制御手段は、前記入力手段により入力された予約録画が前記記憶手段に記憶されている予約録画と重複した場合に、その重複時間が予め設定された時間以下である場合、新規の予約録画の優先が設定されているとき、前記記憶手段に記憶されている予約録画を前記入力手段により入力された予約録画に合わせて修正して、前記入力手段により入力された予約録画を前記記憶手段に記憶して予約録画を設定するようにしたことを特徴とする請求項２記載の予約録画装置。
【請求項４】
前記制御手段は、前記入力手段により入力された予約録画が前記記憶手段に記憶されている予約録画と重複した場合に、その重複時間が予め設定された時間以下である場合、既存の予約録画の優先が設定されているとき、前記入力手段により入力された予約録画を前記記憶手段に記憶されている予約録画に合わせて修正して、修正された予約録画を前記記憶手段に記憶して予約録画を設定するようにしたことを特徴とする請求項２記載の予約録画装置。
【請求項５】
前記制御手段は、前記入力手段により入力された予約録画が前記記憶手段に記憶されている予約録画と重複した場合に、その重複時間が予め設定された時間以下でない場合、前記入力手段により入力された予約録画を取り消すようにしたことを特徴とする請求項２記載の予約録画装置。
【発明の詳細な説明】
【技術分野】
【０００１】
本発明は、放送番組を予約録画する予約録画装置に係り、特に新規の予約録画が既存の予約録画と重複した場合、その重複時間に応じて新規の予約録画を設定することができる予約録画装置に関する。
【背景技術】
【０００２】
従来、ＶＣＲ（Ｖｉｄｅｏ  Ｃａｓｓｅｔｔｅ  Ｒｅｃｏｒｄｅｒ）等の録画再生装置は、放送番組の放送日、チャンネル、録画開始時刻、録画終了時刻等を入力して、放送番組の予約録画を設定することができるようになっている。しかし、新規の予約録画が既存の予約録画と重複した場合、新規の予約録画が取り消され、新規の予約録画を設定することができない。そのため、新規の予約録画が既存の予約録画と重複した場合、既存の予約録画の設定を取り消してから新規の予約録画を設定しなければならないという問題点があった。また、新規の予約録画が既存の予約録画と重複した場合、既存の予約録画と重複しないように新規の予約録画の録画開始時刻、或いは録画終了時刻を調整すれば、新規の予約録画を設定することができる。しかし、新規の予約録画を既存の予約録画より優先して設定したい場合は、既存の予約録画を取り消して、新規の予約録画と重複しないように既存の予約録画の録画開始時刻、或いは録画終了時刻を変更して既存の予約録画を再設定した後に、新規の予約録画を設定しなければならないという問題点があった。
背景技術としては、予約された２つの予約録画が重複した場合、その重複状況を表示し、ユーザの指示により一方の予約録画を削除して、他方の予約録画を設定するようにしたものがあった（例えば、特許文献１参照）。
また、予約録画が重複した場合、予約録画の優先度を判定し、判定された優先度にしたがって重複した予約録画の中の優先度の高い予約録画を選択して設定するようにしたものがあった（例えば、特許文献２又は３参照）。
また、予約録画が重複した場合、重複した予約録画を表示して、キー操作により予約録画が重複しないように予約録画を修正して設定するようにしたものがあった（例えば、特許文献４又は５参照）。
【特許文献１】特開平１１−１３６６１５号公報
【特許文献２】特開２００２−２７３３７号公報
【特許文献３】特開平９−１４７４４６号公報
【特許文献４】特開平９−１８０２９２号公報
【特許文献５】特開平６−６０４７５号公報
【発明の開示】
【発明が解決しようとする課題】
【０００３】
しかしながら、背景技術で述べたもののうち最初のものにおいては、予約された２つの予約録画が重複した場合、その重複状況を表示し、ユーザの指示により一方の予約録画を削除して、他方の予約録画を設定することができたが、予約録画が僅かな時間であっても重複した場合、２つの予約録画を設定することができないという問題点があった。
また、次のものにおいては、予約録画が重複した場合、予約録画の優先度を判定し、判定された優先度にしたがって重複した予約録画の中の優先度の高い予約録画を選択して設定することができたが、上記同様、予約録画が僅かな時間であっても重複した場合、優先度の高い予約録画を設定することができるが、優先度の低い予約録画を設定することができないという問題点があった。
また、更にその次のものにおいては、予約録画が重複した場合、重複した予約録画を表示して、キー操作により予約録画が重複しないように予約録画を修正して設定することができたが、重複した予約録画を設定する場合、キー操作により予約録画が重複しないように修正しなければならないという問題点があった。
本発明は、背景技術の有するこのような問題点に鑑みてなされたものであり、その目的とするところは、新規の予約録画が既存の予約録画と重複した場合に、その重複時間が予め設定された時間以下である場合、予約録画が重複しないように修正して予約録画を設定することができる予約録画装置を提供しようとするものである。
【課題を解決するための手段】
【０００４】
上記目的を達成するため本発明においては、放送番組を予約録画する予約録画装置であって、予約録画を入力する入力手段と、予約録画を記憶する記憶手段と、前記入力手段により入力された予約録画が前記記憶手段に記憶されている予約録画と重複するか否かを判別し、その重複時間が予め設定された時間以下であるか否かを判別する判別手段と、前記判別手段の判別結果に基づいて予約録画の設定を制御する制御手段とを備え、前記制御手段は、前記入力手段により入力された予約録画が前記記憶手段に記憶されている予約録画と重複した場合、その重複時間に応じて予約録画を設定するようにする。
前記制御手段は、前記入力手段により入力された予約録画が前記記憶手段に記憶されている予約録画と重複した場合に、その重複時間が予め設定された時間以下である場合、新規の予約録画の優先が設定されているとき、前記記憶手段に記憶されている予約録画を前記入力手段により入力された予約録画に合わせて修正して、前記入力手段により入力された予約録画を前記記憶手段に記憶して予約録画を設定するようにするとよい。
また、前記制御手段は、前記入力手段により入力された予約録画が前記記憶手段に記憶されている予約録画と重複した場合に、その重複時間が予め設定された時間以下である場合、既存の予約録画の優先が設定されているとき、前記入力手段により入力された予約録画を前記記憶手段に記憶されている予約録画に合わせて修正して、修正された予約録画を前記記憶手段に記憶して予約録画を設定するようにするとよい。
また、前記制御手段は、前記入力手段により入力された予約録画が前記記憶手段に記憶されている予約録画と重複した場合に、その重複時間が予め設定された時間以下でない場合、前記入力手段により入力された予約録画を取り消すようにするとよい。
これらの手段により、新規の予約録画が既存の予約録画と重複した場合に、その重複時間が予め設定された時間以下である場合、予約録画が重複しないように修正して予約録画を設定することができる。
【発明の効果】
【０００５】
請求項１記載の発明に係る予約録画装置によれば、入力された予約録画が記憶されている予約録画と重複した場合に、その重複時間が予め設定された時間以下である場合、新規の予約録画の優先が設定されているとき、記憶されている予約録画を入力された予約録画に合わせて修正して、入力された予約録画を記憶して予約録画を設定し、既存の予約録画の優先が設定されているとき、入力された予約録画を記憶されている予約録画に合わせて修正して、修正された予約録画を記憶して予約録画を設定するとともに、入力された予約録画が記憶されている予約録画と重複した場合に、その重複時間が予め設定された時間以下でない場合、入力された予約録画を取り消すようにしているので、新規の予約録画が既存の予約録画と重複した場合に、重複時間が予め設定された時間以下である場合、予約録画が重複しないように修正して予約録画を設定することができ、重複時間が予め設定された時間以下でない場合、新規の予約録画を取り消して、既存の予約録画が修正されないようにすることができる。
請求項２記載の発明に係る予約録画装置によれば、入力された予約録画が記憶されている予約録画と重複した場合、その重複時間に応じて予約録画を設定するようにしているので、新規の予約録画が既存の予約録画と重複した場合であっても、重複時間に応じて予約録画を設定することができる。
請求項３記載の発明に係る予約録画装置によれば、入力された予約録画が記憶されている予約録画と重複した場合に、その重複時間が予め設定された時間以下である場合、新規の予約録画の優先が設定されているとき、記憶されている予約録画を入力された予約録画に合わせて修正して、入力された予約録画を記憶して予約録画を設定するようにしているので、新規の予約録画が既存の予約録画と重複した場合に、その重複時間が予め設定された時間以下である場合、新規の予約録画と重複しないように既存の予約録画を修正して、新規の予約録画を設定することができる。
請求項４記載の発明に係る予約録画装置によれば、入力された予約録画が記憶されている予約録画と重複した場合に、その重複時間が予め設定された時間以下である場合、既存の予約録画の優先が設定されているとき、入力された予約録画を記憶されている予約録画に合わせて修正して、修正された予約録画を記憶して予約録画を設定するようにしているので、新規の予約録画が既存の予約録画と重複した場合に、その重複時間が予め設定された時間以下である場合、既存の予約録画と重複しないように新規の予約録画を修正して、新規の予約録画を設定することができる。
請求項５記載の発明に係る予約録画装置によれば、入力された予約録画が記憶されている予約録画と重複した場合に、その重複時間が予め設定された時間以下でない場合、入力された予約録画を取り消すようにしているので、新規の予約録画が既存の予約録画と重複した場合に、その重複時間が予め設定された時間以下でない場合、新規の予約録画を取り消して、既存の予約録画が修正されないようにすることができる。
【発明を実施するための最良の形態】
【０００６】
以下、適宜図面を参照しながら本発明を実施するための最良の形態を詳述する。図１は本発明の一実施例の予約録画装置の構成を示すブロック図であり、図２は本発明の一実施例の予約録画装置のリモコン装置を示す説明図であり、図３は本発明の一実施例の予約録画装置の予約録画設定画面の表示例を示す図であり、図４、図５は本発明の一実施例の予約録画装置の動作を示す説明図であり、図６は本発明の一実施例の予約録画装置の動作を示すフローチャートである。
まず、図１の本発明の一実施例の予約録画装置の構成を示すブロック図を基に説明する。
予約録画装置１は、アンテナ１１により受信された放送電波から選択されたチャンネルの放送番組を受信するチューナ２と、チューナ２により受信された放送番組の映像音声信号を検波して増幅する検波増幅回路３と、映像音声信号を記録媒体に録画再生する記録再生部４と、記録再生部４により再生された映像音声信号を増幅して出力する増幅出力回路５と、文字情報信号を映像信号に重畳して、文字情報をモニタ装置３０の画面に表示するＯＳＤ（Ｏｎ−Ｓｃｒｅｅｎ  Ｃｈａｒａｃｔｅｒ  Ｄｉｓｐｌａｙ）回路６と、予約録画装置１のシステム全体を制御するマイコン７と、日付と時刻とを管理する時計回路８と、予約録画等のデータを記憶するメモリ９と、リモコン装置２０から送信された赤外線信号のリモコン信号を受信して、所定の電気信号に変換するリモコン受信部１０とで構成されている。
また、予約録画装置１のリモコン装置２０には、図２に示すように、各種モードを設定するメニュ画面の表示を指令するメニュキー２０ａ、メニュ画面に表示された選択項目を選択するカーソルキー２０ｂ、カーソルキー２０ｂにより選択された選択項目の選択を決定する決定キー２０ｃ等の複数の操作キーが設けられていて、それらの操作キーを操作することにより予約録画装置１を所望動作させることができるようになっている。
以上のように構成された予約録画装置について、以下その動作について説明する。
リモコン装置２０の操作キーが操作されると、操作された操作キーのリモコン信号が赤外線信号のリモコン信号としてリモコン装置２０から送信され、リモコン受信部９により受信され、受信された赤外線信号のリモコン信号が所定の電気信号に変換されてマイコン７に送出される。リモコン装置２０のメニュキー２０ａのリモコン信号を受信すると、マイコン７は、文字情報信号と制御信号とをＯＳＤ回路６に送出して、モニタ装置３０の画面にメニュ画面（図示せず）を表示する。リモコン装置２０のカーソルキー２０ｂと決定キー２０ｃとの操作によりメニュ画面の予約録画の設定が選択されると、マイコン７は、文字情報信号と制御信号とをＯＳＤ回路６に送出して、モニタ装置３０の画面３０ａに予約録画の設定画面を表示する（図３参照）。リモコン装置２０のカーソルキー２０ｂと決定キー２０ｃとの操作によりモニタ装置３０の画面３０ａに表示された予約録画の各設定項目が設定されると、マイコン７は、設定された予約録画の各設定をメモリ９に記憶する。
予約録画の設定項目の重複時間を設定することにより、入力された新規の予約録画が既存の予約録画と重複した場合に、その重複時間が予め設定された時間以下である場合、入力された新規の予約録画が取り消されずに予約録画を設定することができる。例えば、重複時間を５分以下に設定すると、新規の予約録画と既存の予約録画との重複時間が５分以下である場合、予約録画が重複しないように修正されて予約録画が設定される。予約録画が重複した場合に、修正されたくない予約録画を設定項目の優先予約に設定する。予約録画の設定項目の優先予約を設定することにより、予約録画が重複した場合、優先予約に設定された予約録画が修正されないようにすることができる。
リモコン装置２０のキー操作等により新規の予約録画が入力されると、マイコン７は、入力された新規の予約録画がメモリ９に記憶されている既存の予約録画と重複したか否かを判別して、新規の予約録画が既存の予約録画と重複しない場合、入力された新規の予約録画をメモリ９に記憶して、入力された新規の予約録画を設定する。
また、入力された新規の予約録画がメモリ９に記憶されている既存の予約録画と重複した場合（図４（ａ）又は図５（ａ）参照。なお、図４、図５において、Ｓ１は既存の予約録画の録画開始時刻であり、Ｅ１は既存の予約録画の録画終了時刻であり、Ｓ２は新規の予約録画の録画開始時刻であり、Ｅ２は新規の予約録画の録画終了時刻である）、マイコン７は、その重複時間が予め設定された時間以下であるか否かを判別して、その重複時間が予め設定された時間以下でない場合、その旨をモニタ装置３０の画面に表示して（図示せず）、入力された新規の予約録画を設定せずに取り消す。
また、入力された新規の予約録画がメモリ９に記憶されている既存の予約録画と重複した場合に、その重複時間が予め設定された時間以下である場合、新規の予約録画が既存の予約録画より後の録画であり（図４（ａ）参照）、新規の予約録画の優先が設定されているとき、マイコン７は、既存の予約録画の録画終了時刻Ｅ１を新規の予約録画の録画開始時刻Ｓ２に合わせて修正して（図４（ｂ）参照）、その旨をモニタ装置３０の画面に表示し（図示せず）、入力された新規の予約録画をメモリ９に記憶して予約録画を設定する。また、新規の予約録画が既存の予約録画より後の録画であり（図４（ａ）参照）、既存の予約録画の優先が設定されているとき、マイコン７は、新規の予約録画の録画開始時刻Ｓ２を既存の予約録画の録画終了時刻Ｅ１に合わせて修正して（図４（ｃ）参照）、その旨をモニタ装置３０の画面に表示し（図示せず）、修正された新規の予約録画をメモリ９に記憶して予約録画を設定する。
また、入力された新規の予約録画がメモリ９に記憶されている既存の予約録画と重複した場合に、その重複時間が予め設定された時間以下である場合、新規の予約録画が既存の予約録画より先の録画であり（図５（ａ）参照）、新規の予約録画の優先が設定されているとき、マイコン７は、既存の予約録画の録画開始時刻Ｓ１を新規の予約録画の録画終了時刻Ｅ２に合わせて修正して（図５（ｂ）参照）、その旨をモニタ装置３０の画面に表示し（図示せず）、入力された新規の予約録画をメモリ９に記憶して予約録画を設定する。また、新規の予約録画が既存の予約録画より先の録画であり（図５（ａ）参照）、既存の予約録画の優先が設定されているとき、マイコン７は、新規の予約録画の録画終了時刻Ｅ２を既存の予約録画の録画開始時刻Ｓ１に合わせて修正して（図５（ｃ）参照）、その旨をモニタ装置３０の画面に表示し（図示せず）、修正された新規の予約録画をメモリ９に記憶して予約録画を設定する。
また、図６の本発明の一実施例の予約録画装置の動作を示すフローチャートを基に説明する。
リモコン装置のキー操作等により新規の予約録画が入力されると、ステップＳ１からステップＳ２に進み、ステップＳ２で、新規の予約録画が既存の予約録画と重複したか否かが判断され、新規の予約録画が既存の予約録画と重複しない場合、ステップＳ３に進み、新規の予約録画が既存の予約録画と重複した場合、ステップＳ４に進む。
ステップＳ３で、入力された新規の予約録画がメモリに記憶されて予約録画が設定され、ステップＳ９に進んで処理を終了する。
ステップＳ４で、新規の予約録画と既存の予約録画との重複時間が予め設定された時間以下であるか否かが判断され、新規の予約録画と既存の予約録画との重複時間が予め設定された時間以下である場合、ステップＳ６に進み、新規の予約録画と既存の予約録画との重複時間が予め設定された時間以下でない場合、ステップＳ５に進む。
ステップＳ５で、入力された新規の予約録画が取り消されて、その旨がモニタ装置の画面に表示され、ステップＳ９に進んで処理を終了する。
ステップＳ６で、新規の予約録画の優先が設定されているか否かが判断され、新規の予約録画の優先が設定されている場合、ステップＳ７に進み、新規の予約録画の優先でなく既存の予約録画の優先が設定されている場合、ステップＳ８に進む。
ステップＳ７で、既存の予約録画が新規の予約録画に合わせて修正されて、その旨がモニタ装置の画面に表示され、入力された新規の予約録画がメモリに記憶されて予約録画が設定され、ステップＳ９に進んで処理を終了する。
ステップＳ８で、新規の予約録画が既存の予約録画に合わせて修正されて、その旨がモニタ装置の画面に表示され、修正された新規の予約録画がメモリに記憶されて予約録画が設定され、ステップＳ９に進んで処理を終了する。
以上、本発明を実施するための最良の形態について詳述したが、本発明はこれに限らず、当業者の通常の知識の範囲内でその変形や改良が可能である。例えば、リモコン装置の操作キーを操作して予約録画を入力することを説明したが、予約録画装置の操作パネルの操作により、或いはＧコード、バーコード入力等により予約録画を入力するようにしてもよい。
【図面の簡単な説明】
【０００７】
【図１】本発明の一実施例の予約録画装置の構成を示すブロック図である。
【図２】本発明の一実施例の予約録画装置のリモコン装置を示す説明図である。
【図３】本発明の一実施例の予約録画装置の予約録画設定画面の表示例を示す図である。
【図４】本発明の一実施例の予約録画装置の動作を示す説明図である。
【図５】本発明の一実施例の予約録画装置の動作を示す説明図である。
【図６】本発明の一実施例の予約録画装置の動作を示すフローチャートである。
【符号の説明】
【０００８】
１  予約録画装置
２  チューナ
３  検波増幅回路
４  記録再生部
５  増幅出力回路
６  ＯＳＤ回路
７  マイコン
８  時計回路
９  メモリ
１０  リモコン受信部
１１  アンテナ
２０  リモコン装置
２０ａ  メニュキー
２０ｂ  カーソルキー
２０ｃ  決定キー
３０  モニタ装置
３０ａ  画面
【図１】
2006033119.tif 000003
【図２】
2006033119.tif 000004
【図３】
2006033119.tif 000005
【図４】
2006033119.tif 000006
【図５】
2006033119.tif 000007
【図６】
2006033119.tif 000008